(57)【特許請求の範囲】
【請求項１】
係止部が下面に形成されたキートップと、
前記キートップの下方に配置されるとともに、下側摺動係止部が形成されたホルダ部材と、
前記キートップの係止部とホルダ部材の下側摺動係止部とを連結係止するとともに、キートップの上下動を案内支持する第１リンク部材及び第２リンク部材と、
前記ホルダ部材の下方に配置され、電気接点部を有する回路基板と、
前記キートップの上下動に伴って、前記回路基板における電気接点部と協働してスイッチング動作を行うスイッチング部材と、
前記ホルダ部材に立設され、内側に案内溝を有する一対の案内壁と、
前記第１リンク部材の外側に形成され、前記各案内壁の案内溝に沿って案内される軸体とを備え、
前記各案内壁は、その案内溝が内側に向かって対向するように配置されるとともに、前記各軸体は、前記キートップの上下動に伴い案内溝に沿って上下方向に摺動案内され、
前記第１リンク部材及び第２リンク部材は、交叉して配設されるとともに、その交叉部で回動可能に支持されており、
前記第２リンク部材には、前記交叉部に設けられるとともに前記スイッチング部材の上面に載置される押下棒が設けられ、
前記スイッチング部材は、前記キートップの下降動作に伴って前記押下棒を介して押圧されてスイッチング動作を行うことを特徴とするキースイッチ装置。
【発明の詳細な説明】
【０００１】
【産業上の利用分野】
本発明は、キートップとホルダ部材との間に配設されるリンク部材を介してキートップの上下動を案内し、キートップの上下動に伴ってスイッチング動作を行うキースイッチ装置に関するものである。
【０００２】
【従来の技術】
従来、この種のキーボードに使用されるキースイッチ装置としては、キーステムを一体に有するキー部材をホルダプレートに形成されたキーホルダ部に挿通して案内支持するとともに、キーステムの下方にスイッチング部材を配設したキースイッチ装置が一般に用いられている。
かかるキースイッチ装置では、キーホルダ部を介してキー部材におけるキーステムの上下動を摺動案内し、キー部材の押下時にキーステムの下部によりスイッチング部材を作動させてスイッチング動作を行わせるものである。
【０００３】
かかるキースイッチ装置によりキー操作を行う場合、キー部材の上下動は前記のようにホルダプレートのキーホルダ部を介してキー部材のキーステムを摺動案内して行われることから、キー部材の押下位置によっては（例えば、キー部材上の中央部以外の端部位置を押下する場合には）、キー部材が傾いた状態で上下動する虞がある。
このように、キー部材が傾いた状態で上下動すると、キーステムとキーホルダ部との間にこじれが生じてしまい、この結果、キー操作上重大な支障が生じることとなり、場合によってはキー部材を押下できなくなることも考えられるものである。
【０００４】
このような問題を解決するものとして、キーの押下時にキーが傾いた状態で押下されるのを防止すべく、特開昭６０−６２０１７号公報に記載されたキースイッチ装置が知られている。
【０００５】
特開昭６０−６２０１７号公報に記載されたキースイッチ装置は、軸によりはさみ状に交叉してなる２つのはさみ状部材にキー部材を支持するとともに、キー部材の中心部から離れた位置にスイッチング部材を配置し、キー部材の押下時に各はさみ状部材の端部に形成された複数個の各ピンをキー部材の裏面と基板の上面とで水平方向に摺動案内するとともに、キー部材に特別に設けた押下部をホルダ部を介して上下に摺動案内しつつ押下部によりスイッチング部材を押下するようにしたものである。
【０００６】
この構成により、このキースイッチ装置は、キーにおける押下位置とは無関係にキーのどの部分を押下しても水平状態を保持しつつキーの上下動を案内できるものである。
【０００７】
【発明が解決しようとする課題】
しかしながら、前記キースイッチ装置では、図面から明らかなように、はさみ状部材の各端部に形成された各ピンはキー部材の裏面と基板の上面とでそれぞれ水平方向に摺動案内されるように構成されているが、各ピンのうち下方側にあるピンを基板の上面に形成された摺動案内部において位置決めするためのものは何等設けられていない。従って、キー部材の非押下時において、はさみ状部材が位置決めされることなく、水平方向に不必要に移動してしまうおそれが多分にあるものである。
【０００８】
特に、キー部材の非押下時にはさみ状部材が不必要に水平方向に移動してしまうことからキーの操作性が悪く、場合によってはキー部材の押下が不充分となってスイッチング部材を確実に動作できないことも生じてしまうおそれも存在するという問題がある。
【０００９】
また、各はさみ状部材の下側に形成されたピンを摺動可能に支持するについて、基板に取り付けられた非可動キー部分の案内ポケットを介して摺動可能に支持しているが、かかる非可動キー部分は、基板と別体に構成されており、このように非可動キー部分を基板に取り付ける構成では、その組立が煩雑化してコストアップを招来してしまう。
【００１０】
更に、このキースイッチ装置において、キートップが２つのはさみ状部材を介して支持されていたとしても、各はさみ状部材の端部がキートップ側と基板側とで摺動案内されていることに起因して、キートップ及び基板と、各はさみ状部材との間でガタ（こじれ）が
発生することは否めない。このようにして、ガタ（こじれ）が発生すると、キートップが押下された際にキートップが傾いた状態で上下動するおそれがある。
【００１１】
かかる場合、スイッチ体（ラバースプリング）がキー部材（キートップ）の中央位置から外れた位置に配置されているので、キートップの押下に基づく押圧力が、押圧部からスイッチ体に対して適正に伝達されなくなることも考えられ、スイッチ体が適正にスイッチング動作を行うことができなくなることもある。
【００１２】
本発明は前記問題点を解消するためになされたものであり、キートップの水平状態を保持したまま上下動を行うことが可能なキースイッチ装置を提供することを目的とする。
【００１３】
【課題を解決するための手段】
前記目的を達成するために、請求項１記載に係るキースイッチ装置は、係止部が下面に形成されたキートップと、キートップの下方に配置されるとともに、下側摺動係止部が形成されたホルダ部材と、キートップの係止部とホルダ部材の下側摺動係止部とを連結係止するとともに、キートップの上下動を案内支持する第１リンク部材及び第２リンク部材と、ホルダ部材の下方に配置され、電気接点部を有する回路基板と、キートップの上下動に伴って、回路基板における電気接点部と協働してスイッチング動作を行うスイッチング部材と、ホルダ部材に立設され、内側に案内溝を有する一対の案内壁と、第１リンク部材の外側に形成され、各案内壁の案内溝に沿って案内される軸体とを備え、各案内壁は、その案内溝が内側に向かって対向するように配置されるとともに、各軸体は、キートップの上下動に伴い案内溝に沿って上下方向に摺動案内され、第１リンク部材及び第２リンク部材は、交叉して配設されるとともに、その交叉部で回動可能に支持されており、第２リンク部材には、交叉部に設けられるとともにスイッチング部材の上面に載置される押下棒が設けられ、スイッチング部材は、キートップの下降動作に伴って押下棒を介して押圧されてスイッチング動作を行うことを特徴とする。
【００１４】
【００１５】
【作用】
前記構成を有する本発明に係るキースイッチ装置においては、内側に案内溝を有する一対の案内壁がホルダ部材に立設されるとともに、第１リンク部材の外側に各案内壁の案内溝に沿って案内される軸体が形成され、各軸体は、キートップの上下動に伴って案内溝に沿って上下方向に摺動案内されるように構成されているので、キートップが上下動した場合でもキートップが前後左右方向に移動することがなく、キートップの水平状態を保持したまま上下動を行うことができる。
【００１６】
また、前記構成を有するキースイッチ装置においては、キートップが押下されると、その押下に伴い、キートップは、交叉して配設されるとともにその交叉部で回動可能に支持された第１リンク部材及び第２リンク部材により下方に案内され、その結果、第１リンク部材と第２リンク部材の交叉部において第２リンク部材に設けられてスイッチング部材の上面に載置された押下棒を介してスイッチング部材が押圧される。これにより、スイッチング部材と回路基板の電気接点部との協働によりスイッチング動作が行われる。
一方、キートップの押下を解除すると、キートップは、元の非押下位置まで復帰される。
【００１７】
【実施例】
以下、本発明を具体化した一実施例に基づいて図面を参照しつつ詳細に説明する。図１は本実施例に係るキースイッチ装置の縦断面図であり、キートップ１はＡＢＳ樹脂等の合成樹脂から成型されており、その上面にはアルファベット等の文字が印刷等により形成されている。また、キートップ１の裏面からは、２つの係止部２、３（それぞれの係止部２、３は紙面と垂直方向に各一対が存在し、図１においてはそれぞれの一方のみを示す）が下方に向けてキートップ１本体と一体に設けられている。
【００１８】
係止部２には、後述する２つのリンク部材７、８のうちの一方のリンク部材７の一端に形成された係止棒１３を水平方向に摺動可能に係止する係止溝４が形成されており、また、係止部３には、他方のリンク部材８の一端に形成された係止ピン２３、２４を水平方向に摺動可能に係止する係止溝５が形成されている。各係止溝４、５は、図１に示すように、キートップ１の押下方向（下方向）に開放されている。
【００１９】
また、係止溝４には、その係止溝４に連続する係止案内部４Ａが形成されており、かかる係止案内部４Ａはリンク部材７の係止棒１３を係止溝４内にスナップインする際に係止溝４に向かって案内するものである。更に、係止部３の係止溝５の下部位置には、係止案内部５Ａが設けられており、かかる係止案内部５Ａはリンク部材８の係止ピン２３、２４を係止溝５内にスナップインする際に係止溝５に向かって案内するものである。
【００２０】
更に、キートップ１の裏面における両側縁からは一対の係止爪３４がキートップ１と一体に垂設されており、各係止爪３４の下端には係止突起３５が設けられている。かかる各係止爪３４は後述するホルダプレート２５に立設された一対の案内壁３３の爪案内溝３３Ａ内に挿嵌され、また、各係止突起３５は案内壁３３の上端に設けられた閉塞部３３Ｃの下端面に係止される（図４参照）。
【００２１】
キートップ１の下方には、キートップ１の上下動を案内支持する案内支持部材６が配設されており、かかる案内支持部材６は２つのリンク部材７、８から構成される。
【００２２】
一方のリンク部材７は、図２に示すように平面視コ字状に形成され、また、一対の板状体９を有し各板状体９の一端間には係止棒１３が一体に形成されるとともに、各板状体９のそれぞれの他端には係止ピン１５、１６が形成されてなるものである。かかる係止棒１３は係止案内部４Ａを介して係止部２の係止溝４内にスナップインされ、また、各係止ピン１５、１６は後述するホルダプレート２５に形成された係止部２６にスナップインされるものである。
【００２３】
また、各板状体９の内側及び外側の双方において相互に対向する中央部位置には、それぞれ軸体１２Ａ、１２Ｂが形成されており、軸体１２Ａは後述のリンク部材８の各板状体１７に形成された各軸孔２０に回動可能に軸支される。更に、軸体１２Ｂは後述するホルダプレート２５に立設された案内壁３３の軸案内溝３３Ｂ内に嵌合されるものである。尚、リンク部材７の係止棒１３と各係止ピン１５、１６は各軸体１２Ａ、Ｂからの距離が等しくなるように構成されている。
【００２４】
更に、他方のリンク部材８は、図３に示すように、一対の板状体１７を有し各板状体１７の一端間には係止棒２１が一体に形成されるとともに、各板状体１７のそれぞれの他端には係止ピン２３、２４が形成されてなる。かかる係止棒２１の両端部は後述するホルダプレート２５の係止部２７に係止され、また、各係止ピン２３、２４は前記係止案内部５Ａを介して係止部３の係止溝５内にスナップインされる。
【００２５】
また、各板状体１７の内側における中央部位置の間には、後述するラバースプリング３１の上面に載置されるとともに、キートップ１の押下時に各リンク部材７、８の相互の回動に伴ってラバースプリング３１を下方に押下する押下棒１８が設けられている。これにより、キートップ１の押下に伴って押下棒１８がラバースプリング３１を押下してスイッチング動作を行うものである。
【００２６】
また、各板状体１７の外側において相互に対向する中央部位置には、それぞれ軸孔２０が形成されており、各軸孔２０には前記リンク部材７の各板状体９に形成された各軸体１２Ａが回動可能に軸支される。これにより、両リンク部材７、８は各軸体１２Ａ及び軸孔２０を介して相互に交差して回動可能となるものであり、各軸体１２Ａと軸孔２０とにより軸支部Ａ（図４参照）が形成される。尚、リンク部材８の係止棒２１と各係止ピン２３、２４は各軸孔２０からの距離が等しくなるように構成されている。
【００２７】
次に、案内支持部材６の下方には樹脂製のホルダプレート２５が配設されており、かかるホルダプレート２５には各スイッチ装置に対応して係止部２６、２７（各係止部２６、２７はそれぞれ２つずつが設けられているが、図１には１つの係止部２６、２７のみを示す）が形成されている。また、ホルダプレート２５には、各係止部２６、２７間の略中央位置にてラバースプリング３１（後述する）を位置決め配置するための取付孔Ｈが形成されている（図４参照）。
【００２８】
各係止部２６、２７は、それぞれ一対の係止片２６Ａ、２６Ｂ、及び一対の係止片２７Ａ、２７Ｂから構成され、各一方の係止片２６Ａ、２７Ａには内方に傾斜した傾斜面を有する係止案内部２６Ｃ、２７Ｃが形成されている。また、一対の係止片２６Ａ、２６Ｂ間には、リンク部材７に形成された係止ピン１５、１６が挿入される挿入口２６Ｄが形成されており、一対の係止片２７Ａ、２７Ｂ間には、リンク部材８に形成された係止棒２１が挿入される挿入口２７Ｄが形成されている。
【００２９】
そして、係止部２６における両係止片２６Ａ、２６Ｂにより係止溝２８が形成され、かかる係止溝２８内にはリンク部材７に形成された係止ピン１５、１６が係止案内部２６Ｃの樹脂弾性により挿入口２６Ｄを介してスナップインされる。更に、係止部２７における両係止片２７Ａ、２７Ｂにより係止溝２８と同様の係止溝２９が形成され、かかる係止溝２９内にはリンク部材８に形成された係止棒２１の両端部が係止案内部２７Ｃの樹脂弾性により挿入口２７Ｄを介してスナップインされる。
【００３０】
また、ホルダプレート２５上において、両係止部２６、２７の間で、リンク部材７における各板状体９の外側面を案内する一対の案内壁３３（図４参照）が立設されている。各案内壁３３には、図４乃至図６に示すように、その外側に前記キートップ１に形成された係止爪３４を上下方向に摺動案内する爪案内溝３３Ａ、爪案内溝３３Ａの内側でリンク部材７の軸体１２Ｂを摺動案内する軸案内溝３３Ｂ、更に、係止爪３４の係止突起３５の下端を係止すべく爪案内溝３３Ａの上端部を閉塞してなる閉塞部３３Ｃが設けられている。
【００３１】
前記のように構成されるホルダプレート２５の下方には、図４に示すように、各キースイッチに対応してスイッチ電極３０Ａが形成されたフレキシブル回路基板３０が配置されており、また、かかるスイッチ電極３０Ａに対応して逆カップ状のラバースプリング３１が、ホルダプレート２５に形成された取付孔Ｈ内に位置決め配置されつつ、フレキシブル回路基板３０上に載置されている。
【００３２】
更に、回路基板３０上のスイッチ電極３０Ａに対向してラバースプリング３１の内頂壁には、可動電極３１Ａが固着されている。そして、ラバースプリング３１の上面には、前記リンク部材８に形成された押下棒１８が配置されている。
【００３３】
これにより、キートップ１の押下に伴って押下棒１８が下方に移動すると、ラバースプリング３１が押下棒１８により押下され、一定の押下量を越えると、ラバースプリング３１が座屈されて可動電極３１Ａとフレキシブル回路基板３０上のスイッチ電極３０Ａとが当接することによりスイッチング動作が行われるものである。
【００３４】
また、フレキシブル回路基板３０の下方にはスイッチ支持板３２が配設されており、かかるスイッチ支持板３２はその上方に配設された各回路基板３０、ホルダプレート２５を支持するものである。
【００３５】
続いて、前記のように構成されたキースイッチ装置の動作について説明する。
先ず、キートップの非押下位置においては、図４に示すように、係止爪３４の係止突起３５が案内壁３３の閉塞部３３Ｃに係止されているので、図４における左右方向に不必要に移動されることはなく、また、キートップ１が案内壁３３から抜け外れてしまうこともない。
【００３６】
そして、キートップ１を下方に押下すると、キートップ１が下方へ移動するに伴って各係止爪３４は案内壁３３の爪案内溝３３Ａに沿って下方に摺動案内される。これにより、キートップ１がその押下時に図１及び図５における左右方向に移動されることはない。
【００３７】
更に、キートップ１の下方への移動に従って、リンク部材７の係止棒１３は係止部２の係止溝４内で水平方向（図１における左方向）に摺動するとともに、リンク部材８の係止ピン２３、２４は係止部３の係止溝５内で水平方向（図１における右方向）に摺動する。これと同時に、リンク部材８の係止棒２１は前記係止棒１３と同様に、ホルダプレート２５における係止部２７の係止溝２９内で水平方向（図１における左方向）に摺動するとともに、リンク部材７の係止ピン１５、１６は前記係止ピン２３、２４と同様に、係止部２６の係止溝２８内で水平方向（図１における右方向）に摺動する。
【００３８】
これと同時に、リンク部材７とリンク部材８は軸支部Ａを中心に相互に回動し、これに伴って軸支部Ａが下方へ移動する。かかる軸支部Ａの下方への移動時に、リンク部材７における各板状体９の外側面は各案内壁３３の内壁面に沿って下方に移動するとともに、各板状体９に形成された軸体１２Ｂが各案内壁３３の軸案内溝３３Ｂに沿って摺動案内される。よって、かかる点からしてもキートップ１の押下時に、キートップ１が図４における左右方向に移動されることはない。また、キートップ１は両リンク部材７、８に支持されつつ移動されることから、キートップ１の押下時にキートップ１が傾いた状態で移動することはないものである。
【００３９】
この結果、リンク部材８の押下棒１８が下方に移動されるとともに、ラバースプリング３１を徐々に押下していき、その押下量が一定の限度を超えた時点でラバースプリング３１は挫屈される。これにより、ラバースプリング３１内の可動電極３１Ａがフレキシブル回路基板３０上のスイッチ電極３０Ａを短絡し所定のスイッチング動作が行われる。
【００４０】
キートップ１の押下を解除すると、リンク部材７の押下棒１８はラバースプリング３１の弾性復元力により上方に押し上げられる。これに伴って、前記リンク部材７の係止棒１３、係止ピン１５、１６、及び、リンク部材８の係止棒２１、係止ピン２３、２４は前記した動作と逆の動作を行い、この結果、キートップ１は元の位置に復帰される。
【００４１】
このようにキートップ１が元の非押下位置に復帰する際においても、各係止爪３４は案内壁３３の爪案内溝３３Ａに沿って上方に摺動案内され、従って、キートップ１がその復帰時に図１及び図５における左右方向に移動されることはない。
また、リンク部材７における各板状体９の外側面は各案内壁３３の内壁面に沿って上方に移動するとともに、各板状体９に形成された軸体１２Ｂが各案内壁３３の軸案内溝３３Ｂに沿って摺動案内され、従って、このような点からしてもキートップ１が図４における左右方向に移動されることはない。
【００４２】
前記したように、キートップ１は、その押下時及び元の非押下位置に復帰する時の双方に場合において、不必要に前後方向（図１及び図５における左右方向）及び左右方向（図４における左右方向）に移動されることが防止されるものである。
また、本実施例では、キートップ１が両リンク部材７、８によって支持されつつ移動されることから、傾斜した状態で移動することが防止されるものである。
【００４３】
前記の構成を有するキースイッチ装置を組み立てるには、リンク部材７の各軸体１２Ａをリンク部材８の各軸孔２０に嵌合して案内支持部材６を組み立てた後、リンク部材７のもう一方の各軸体１２Ｂを案内壁３３に形成された軸案内溝３３Ｂの上方から軸案内溝３３Ｂ内に挿嵌する。
【００４４】
これにより、図６に示すように、リンク部材７の各係止ピン１５、１６は、ホルダプレート２５における係止部２６の係止片２６Ａに形成された係止案内部２６Ｃと係止片２６Ｂとの間に配置されるとともに、リンク部材８の係止棒２１は、係止部２７の係止片２７Ａに形成された係止案内部２７Ｃと係止片２７Ｂとの間に配置される。この状態においては、図６に示すように、リンク部材７及びリンク部材８の双方は、略水平状態になっている。
【００４５】
これに続いて、キートップ１を案内支持部材６の上に配置し、リンク部材７の係止棒１３をキートップ１における係止部２の係止案内部４Ａに対向させるとともに、リンク部材８の各係止ピン２３、２４をキートップ１における係止部３の係止案内部５Ａに対向させる（図６参照）。
【００４６】
この後、キートップ１を下方に向けて軽く押下すると、リンク部材７の各係止ピン１５、１６は係止案内部２６Ｃの樹脂弾性を介して係止溝２８内にスナップインされ、また、リンク部材８の係止棒２１も係止案内部２７Ｃの樹脂弾性を介して係止溝２９内にスナップインされる。これと同時に、リンク部材７の係止棒１３が係止案内部４Ａを介して係止溝４内にスナップインされるとともに、リンク部材８の各係止ピン２３、２４が係止案内部５Ａを介して係止溝５内にスナップインされる。これにより、キースイッチ装置の組立が完了する。
【００４７】
このように、各リンク部材７、８とホルダプレート２５及びキートップ１との連結は、キートップ１を軽く押下するのみにより簡単に連結することができ、これにより、キースイッチ装置の組立作業を簡単化して作業負担を軽減することができる。
【００４８】
以上詳細に説明した通り本実施例に係るキースイッチ装置では、キートップ１の両側縁から垂設した一対の各係止爪３４をホルダプレート２５上の案内壁３３に形成した爪案内溝３３Ａ内に挿嵌するようにしたので、キートップ１の操作時にキートップ１が上下動した場合においても、キートップ１が前後左右方向に移動することを防止することができる。従って、キートップ１のキー操作性を格段に向上することができるものである。
【００４９】
また、リンク部材７の各軸体１２Ｂを案内壁３３に形成した軸案内溝３３Ｂに挿嵌したので、キートップ１の操作時にキートップ１が上下動した場合でも、キートップ１が前後左右方向に移動することはなく、これにより、前記効果とも相まってキートップ１の水平状態を保持したまま確実に上下動を行い得るものである。
【００５０】
更に、キートップ１の非操作時においては、係止爪３４の係止突起３５が案内壁３３の閉塞部３３Ｃに係止されているので、キートップ１が案内壁３３から抜け外れてしまうことを確実に防止することができ、また、ラバースプリング３１の弾性復元力とも相まってキートップ１の非押下位置を適正に規制することができるものである。
【００５１】
また、キートップ１は、互いに回動可能に交差された２つのリンク部材７とリンク部材８とからなる案内支持部材６により上下動案内されているので、キートップの操作時にキートップ１が傾いた状態で上下動することは防止され、この結果、前記のようにキートップ１の前後左右方向への移動を防止できることとも相まってキートップ１のキー操作性を格段に向上できるものである。
【００５２】
更に、ラバースプリング３１は、回路基板３０上でホルダプレート２５に形成された取付孔Ｈに容易且つ確実に位置決め配置することができ、また、かかる取付孔Ｈは、ホルダプレート２５に形成された各係止部２６、２７間の略中央位置に形成されているので、スイッチング操作時にキートップ１の押下位置に拘わらずキートップ１の略中央部を介してラバースプリング３１のスイッチング動作を行うことが可能となり、従って、常に確実なスイッチング動作を行うことができる。
【００５３】
また、キートップ１の各係止部２、３には、リンク部材７の係止棒１３及びリンク部材８の係止ピン２３、２４を係止するため、キートップ１の押下方向に開放された係止溝４、５及び係止案内部４Ａ、５Ａが形成されており、また、ホルダプレート２５の各係止部２６、２７には、リンク部材７の係止ピン１５、１６及びリンク部材８の係止棒２１を摺動可能に係止する係止溝２８、２９が形成されているので、リンク部材７の係止ピン１５、１６及びリンク部材８の係止棒２１を係止部２６、２７の係止溝２８、２９に係止した状態で、且つ、リンク部材７及びリンク部材８の双方が略水平状態でキートップ１を軽く押下するだけの簡単な操作により、係止棒１３及び係止ピン２３、２４は、それぞれ係止部２、３の係止案内部４Ａ、５Ａを介して係止溝４、５の開放側から係止部２、３内にスナップインさせることが可能となる。これにより、キースイッチ装置の組立作業を容易に行うことができる。
【００５４】
尚、本発明は前記実施例に限定されるものではなく、本発明の要旨を逸脱しない範囲内で種々の変形、改良が可能であることは勿論である。
【００５５】
【発明の効果】
以上説明したように、本発明のキースイッチ装置によれば、内側に案内溝を有する一対の案内壁がホルダ部材に立設されるとともに、第１リンク部材の外側に各案内壁の案内溝に沿って案内される軸体が形成され、各軸体は、キートップの上下動に伴って案内溝に沿って上下方向に摺動案内されるように構成されているので、キートップが上下動した場合でもキートップが前後左右方向に移動することがなく、キートップの水平状態を保持したまま上下動を行うことができる。
【図面の簡単な説明】
【図１】キースイッチ装置の縦断面図である。
【図２】一方のリンク部材の平面図である。
【図３】他方のリンク部材の平面図である。
【図４】キースイッチ装置の横断面図である。
【図５】係止爪と爪案内溝との関係を示す説明図である。
【図６】キースイッチ装置を組み立てる前における状態を示す説明図である。
【符号の説明】
１                              キートップ
２                              係止部
３                              係止部
４、５、２８、２９              係止溝
６                              案内支持部材
７                              リンク部材
８                              リンク部材
１３                              係止棒
１５、１６                        係止ピン
２１                              係止棒
２３、２４                        係止ピン
２５                              ホルダプレート
２６                              係止部
２６Ｄ                            挿入口
２７                              係止部
２７Ｄ                            挿入口
３０                              フレキシブル回路基板
３０Ａ                            スイッチ電極
３１                              ラバースプリング
３２                              スイッチ支持板
Ｈ                              取付孔
【図１】
0003630138.tif 000002
【図２】
0003630138.tif 000003
【図３】
0003630138.tif 000004
【図４】
0003630138.tif 000005
【図５】
0003630138.tif 000006
【図６】
0003630138.tif 000007